(57)【要約】衝撃に対して背骨を保護する構造は、シールド（１０)と、互いに連結されシールド（１０)に固着された複数個のプレート（３０Ａ・・３０Ｇ）とを有する。各プレート（３０Ａ・・３０Ｇ）は、その長さの約半分に対応する大きさだけ隣接のプレートに重なり、保護構造の長手方向軸心（Ｘ）に沿って延び、かつ各プレート（３０Ａ・・３０Ｇ）を制限された大きさ回転するようにできるが、全ての方向に自由である種々なプレート（３０Ａ・・３０Ｇ）と接続するための一体手段（２２）が設けられた単一部材（２０）によって、全ての他のプレートと一緒に連結して保持されている。使用：防御または保護構造において当てにすること無く、非常な高速度での移動を含むことができる、スポーツ運動を行なう人の保護。利点：長手方向軸心に対する全ての方向から与えられる強い打撃の場合に、使用者の背骨の有効的な保護。
2004537384.tif 000002
【特許請求の範囲】
【請求項１】
使用者の体に固着するための手段が設けられた細長いシールド（１０)と、合成樹脂材料で作られてシールドの外方を向いた面に取り付けられ互いに連結されてシールド（１０)に固着された複数個のプレート（３０Ａ・・３０Ｇ）とを有する、衝撃に対して背骨を保護するための構造において、
各プレート（３０Ａ・・３０Ｇ）は、その長さのほぼ半分に対応する大きさだけ隣接のプレートに重なり、保護構造の長手方向軸心（Ｘ）に沿って延び、かつ各プレート（３０Ａ・・３０Ｇ）を制限された大きさ回転するようにできるが、全ての方向に自由である種々なプレート（３０Ａ・・３０Ｇ）と接続するための一体手段（２２）が設けられた単一部材（２０）によって、全ての他のプレートと一緒に連結保持されていることを特徴とする保護構造。
【請求項２】
最下のプレート（３０Ｇ）を除いて、全てのプレート（３０Ａ・・３０Ｆ）は、シールド（１０）に面した側が凹んでいて、かつ上半部（４０）と下半部（５０）と前記プレートの最深の凹みの線に対応して互いに前記２つの半部（４０、５０）を隔てる横リブ（３２）とを一体的単一片構造で有することを特徴とする請求項１に記載の保護構造。
【請求項３】
最下のプレート（３０Ｇ）を除いて、各プレート（３０Ａ・・３０Ｆ）の前記半部の１つ、好適には下半部（５０）、は、前記分離横リブ（３２）から片持ち梁の具合に突出する複数個の舌部（５２Ａ・・５２Ｇ）を実際に有し、かつ前記分離横リブ（３２）からの間隔が増大するように隣接のプレートの上半部（４０）から次第に隔てられていることを特徴とする請求項２に記載の保護構造。
【請求項４】
全てのプレート（３０Ａ・・３０Ｇ）の前記半部の他の１つ、好適には上半部（４０）、は実質的に連続していて通気および照明用の孔（４１）が設けられていることを特徴とする請求項３に記載の保護構造。
【請求項５】
全てのプレート（３０Ａ・・３０Ｇ）の前記半部の他の１つ、好適には上半部（４０）には、プレート組体（３０）をシールド（１０）に固着するように設けられた手段のために縁部（４２）に沿って配置された複数個のフック手段（４４、４６、４８）が設けられていることを特徴とする請求項３または４に記載の保護構造。
【請求項６】
シールド（１０）の外向きの面に前記プレート組体（３０）を固着する前記手段は、例えばツインのような可撓性の部材（６０）を有することを特徴とする請求項５に記載の保護構造。
【請求項７】
前記接続部材（２０）は、種々なプレート（３０Ａ・・３０Ｇ）に設けられた対応するシート（４３、５７）との係合にスナップ嵌合するようにできる交互の順序の幅広部（２２、２６、２８）と幅狭部（２４）とを有することを特徴とする上記請求項のいずれか１つに記載の保護構造。
【請求項８】
種々なプレート（３０Ａ・・３０Ｇ）の間で、シールド（１０）よりも接続部材（２０）に近接した位置に、軟質材料で作られた平らな部材（７０）が設けられていることを特徴とする上記請求項のいずれか１つに記載の保護構造。
【請求項９】
プレート組体（３０）の上に設けられてカバーとしてだけ作用するようできる保護被覆をさらに有することを特徴とする上記請求項のいずれか１つに記載の保護構造。
【請求項１０】
シールド（１０）は、透明で可撓性の耐摩滅材料で作られていることを特徴とする上記請求項のいずれか１つに記載の保護構造。
【発明の詳細な説明】
【技術分野】
【０００１】
本発明は、衝突および衝撃、特に、これら衝突および衝撃だけでなく、例えば、滑降スキー、モーターサイクリング、サイクルレーシング、橇走行および同様なこと等のような、非常な高速度での移動をも含めて、スポーツを行なっている場合に、転倒した時、外部保護または保護構造（コックピット、キャノピーまたは同様なもの）の使用を設けるのを忘れた時に、受けることのある衝突や衝撃、に対して人の背骨を保護するための構造に関するものである。
【背景技術】
【０００２】
特許文献１は、このような状況において受けることのある危険を扱っており、このために、締め紐、ストラップ、ベルトまたは同様なもの等によって使用者の背骨に固着されるようになった保護構造を記載している。このような保護構造は、垂直に整列し、かつ背骨に対して垂直に延びるヒンジボタンによって互いに連結された２つの支持部を有している。両支持部は、ハニカム構造を形成する複数個の実質的に強固なプレートによって外側が構成されると共に、発泡材料の連続層と、同様に、ハニカム構造の永久変形によって吸収することができない衝撃誘導エネルギの負担分または一部を吸収できる軟質材料の連続中間層と、によって内側（すなわち、使用者の背骨と接触する）が構成されている。前記２つの支持部の各々において、プレートは、書物状のヒンジによって互いに接続されており、保護構造の長手方向軸心に垂直な方向にヒンジの軸心が延びていて、プレートと次のプレートとの間に生じられる不連続部なしに、同一脊椎の彎曲に従順に従うことができるように、該軸心が使用者の脊椎と実質的に一致している。
【０００３】
【特許文献１】
国際公開第９９  ０４６６１号パンフレット
【発明の開示】
【発明が解決しようとする課題】
【０００４】
しかしながら、このような従来の保護構造は、上述した問題の全ての解決に有効でない。何故ならば：
ａ）プレートのハニカム構造は、プレート自体に対して直角な方向に向いている強打を、単に自己の変形を介して取り上げることに有効である。
ｂ）保護構造は、プレートの恒久的な変形に基づいて、単一の衝突または衝撃を丁度受けることに役に立たなくなる。
ｃ）その有効性は、ヒンジの軸心周りの回転が、２つの支持部の各々におけるように相互に関連したプレートの単独の自由度であること、同一ヒンジによって形成される如何な幅の狭い条片に沿ってハニカム補強が何等有効でないこと、の２つの事項に基づいて、どのようにでも制限されている。
ｄ）腰椎の高さに位置するように実際になる２つの支持部の間のヒンジボタンに対応して正確に作用する、または受ける衝撃の場合に、大きくにもなる部分的圧力（圧縮力）を使用者の背骨に作用するように、明確に小さな横断面積を有する同一のボタンにおいて、可能性が存在する。
【０００５】
従って、本発明の主な目的は、上述した制限および欠点により特徴付けられずに、使用者の背骨のどんな個所にも集中されて、どんな方向にも作用される、特に、危険な衝撃の場合であっても、同時に使用者を効果的に安全に保護できる保護構造を提供することにある。
【０００６】
特許請求の範囲に示され、かつ規定されるような特徴と協同する保護構造は、添付図面に係る本発明の単なる実施例ではなくて、推奨される何等制限しない実施例によって、以下に与えられる説明により確認されるように、これが可能となり、達成すべく、さらに助けるものである。
【発明を実施するための最良の形態】
【０００７】
図１に示されるように、本発明に従った保護構造は、符号１０で概要的に示される薄いシールドと、シールドの外側に面した面に取り付けられた複数個のプレートとによって大体構成されている。全体としてのこれらプレートは、符号３０で大体示され、保護構造の長手方向軸心Ｘに沿って延びる接続部材２０の使用によって関連した組体が得られる。シールド１０は、例えば天然または合成レザーあるいは類似物のような透明で可撓性の耐摩滅材料で作られており、細長い下向きのテーパが付けられた形状の周辺縁部を有している。単一部片として一体的に作られているが、シールド１０は、胸椎状部のほぼ半分ほど下方に下頸部脊柱状部の位置に配置された横方向ライン部１１から延びる上部１２と、下胸椎状部と最上腰椎状部の位置の中間部１４と、尾骨状部に下方に延びる下部１６と、を有している。革帯、ベルトおよび／またはブレース（図示しない）のような適宜な固着手段が、使用者の背骨の上方で使用者の体に、シールド１０を固着することができる。
【０００８】
保護構造の実際の構成部分である上記したプレートは、例えば、ポリエチレンまたはポリウレタンのような成形可能な耐衝撃性の熱可塑性材料で作られている。また、図２乃至図４を参照し、かつ垂直方向を考慮して、３つの上プレート３０Ａ、３０Ｂ、３０Ｃは、シールド１０の下部１６に配置されている２つの下プレート３０Ｆ、３０Ｇの上の中間部１４上に配置された２つのプレート３０Ｄ、３０Ｅ上の上部１２上に配置されており、そして、これらプレートの全てが、シールドの周辺縁部１８から一定間隔で配設されている。一貫して、前記シールドの形状によって、最上部のプレートは、中間部および最下部のプレートよりも幅が大きい。最下部のプレート３０Ｇを除いて、全てのプレートは、軸心Ｘに沿って測った時の高さと同じ高さを一方で有している。
【０００９】
一般的な形状は、プレート３０Ａ・・・３０Ｆにおいて実質的に同じであるので、添付図面に一層詳細に示されているプレートである３０Ａで示される最上部のプレートだけが、一層の簡略化のためにここに説明されよう。
【００１０】
プレート３０Ａは、シールド１０の側部、すなわち使用者の背骨に面した側部、の形状が凹状であり、共に、図４に示される二重線によって明示されるように、保護構造の長手方向軸心Ｘと平行な方向と、同じ長手方向軸心に対して横方向とにある。実際に、プレートは、凹みが最大である横リブ３２によって互いに分離された上半部４０と下半部５とを有している。
【００１１】
プレート３０Ａの上半部４０は、３つのフックの幾つかの組を除いて、実質的に連続しており、外縁部４２に沿って全て配置されていてシールド１０の面が開口している。３つのフックの組の各々において、２つの横フック４４、４６は、長手方向軸心Ｘに向って整列しているが（図５を参照）、しかし、中央フック４８は、外縁部４２に向って配置されている（図６参照）。このような具合に、３つのフックの種々な組において、明らかにシールドの周辺縁部１８から一定間隔でシールド１０に沿って全て延びるツイン部６０が保持されており、シールド１０の外面に取り付けられた複数個のループ１７の下を通る時に、プレート組体３０を同一シールド１０に取り付けることができる。プレートの上半部４０には、通気および照明用の孔４１が設けられると共に、既に述べた長手方向の接続部材２０のスナップ係合のためのテーパ受容部４３が設けられている。この接続部材は、軸心Ｘに沿って、種々なプレートと係合すべくスナップ係合できるようになった幅広部２２が幅狭部２４と互い違いになり、かつ上記の幅広部２２の１つと異なる形状を有する２つの幅広部２６、２８に終っている一種のベルト（さらに成形可能で耐衝撃性の熱可塑性材料でさらに作られている）から構成されている（図１および図３参照）。
【００１２】
プレート３０Ａの下半部５０は、３つの薄い舌部５２Ａ、５２Ｂ、５４Ａ、５４Ｂ、５６Ａ、５６Ｂの２つの組によって軸心Ｘに対して対称的に構成されており、これら舌部５２Ａ、５２Ｂ、５４Ａ、５４Ｂ、５６Ａ、５６Ｂは、互いに２つの半部４０、５０を分離する横リブ３２から始まる片持ち梁状に下方に延びている。３つの舌部の２つの組は、前記プレートの第１の半部４０に設けられたテーパ受容部４３よりも幾らか幅広くなった溝５８によって互いにさらに分離されている。
【００１３】
最下位置に設けられたプレート３０Ｇは、何等舌部を有していないが、通気および照明用の孔４１と３つの舌部の２つの組（本書において既に示されるように）と、種々なプレート３０Ａ・・・３０Ｇが如何に一緒に組み立てられるかを示している図３を参照して、長手方向の接続部材２０の最下端部２８におけるテーパ受容部５７とによってさらに特徴付けられている。
【００１４】
いずれかのプレートの舌部５２Ａ・・・５６Ｂが、次のプレートの上半部４０の下に来て、また、図４と図７に示されるように、横リブ３２から離れて自由端部に向って移動する時に、後者からますます隔てられる。従って、最上位置に配置されたプレート３０Ａの上半部を除いて、プレート組体３０の高さ全体において、互いに全ての方向に動く可能性をもって互いに隔てられている２つのプレートが重なり合うことを確実にしている。図７は、恒久的な変形を行なうこと無しに、衝撃を受けるプレートと協同することができるように、シールド１０よりも長手方向の接続部材２０に近接した位置にて、プレート間に配置される、例えば発泡プラスチックのような軟質材料の熱成形または押抜き加工された条片７０が任意に可能であることをさらに示している。
【００１５】
保護構造は、プレート組体３０の上方の個所でシールド１０に固着されるカバーとしてだけ行なわれる被覆（図示しない）によって完成するようにできる。
【００１６】
作動において、上述した保護構造は以下の特徴を示している。長手方向接続部材２０は、種々なプレートの各々を、他のプレートに対して全ての方向に自由に回転（明確に制限された移動範囲で作用する）するようにできる。これは、自在に接続されるように、本発明に従って保護構造を規定するようにどうして適切に考慮されるか、また、各プレートが、他のプレートとは別に可撓的に変形できるかを考慮しているかである。
【００１７】
本発明によって提供される利点は、相互におけるプレートの前記回転が、保護構造を使用者の背骨の彎曲に最も適切に順応させるようにできることに、丁度制限されることが従って無く、特にまた、不慮の事故の結果として使用者が受けることのある衝撃や衝突の各々やいずれをも十分に耐えるようにできることである。実際に、作用される衝撃の方向が軸心Ｘに対していかであろうとも、少なくとも１つのプレートの下半部の１つ以上の舌部が、可撓的な変形、すなわち非永久的な変形（プレートの自然な凹面を無効にするようになす、所謂、横リブ３２周りの変位）を受けるようになり、さらに、同じような具合に、板ばねが自動車において作用するようになる。衝撃の方向に従って、プレートは、保護構造の他のプレートに対していずれの方向にも、どちらか一方または同時に、回転できる。あらゆる場合に、障害物に対して衝突する使用者からもたらされる衝撃に基づくエネルギが、使用者の背骨に対して衝撃自体を放出するようにできる等の、リスクが有効的に避けられる。同時に、使用者は、任意の準備としてどのようにも考えられる、軟質材料の条片７０の作用的な干渉無しに、最も効果的で、かつ完全な保護を確実にできる。
【００１８】
このような効果は、本書において最初に記載された従来の保護構造によって確立される効果に対しても、勿論、十分に優れている。
【００１９】
上述の説明は、本発明の現在の推奨される実施例について記載しているが、添付された特許請求の範囲によって規定されるように、本発明の範囲から逸脱すること無く、多数の別の実施例が発展できることが明らかであろう。
【図面の簡単な説明】
【００２０】
【図１】本発明に従った保護構造の外側からの前面図である。
【図２】保護構造の構成部材の組体を示すだけの使用者の背骨と接触した側部からの前面図である。
【図３】他の部材から分離された前記構成部材の幾つかと、組体に互いに連結された構成部材を保持する接続部材とを示す図２と同様な前面図である。
【図４】保護構造の長手方向軸心に対して異なった角度における２つの側面図の図２と図３の同一構成部材を示す図である。
【図５】図１の円で囲われた部分の細部の拡大前面図である。
【図６】図１の円で囲われた部分の細部の拡大背面図である。
【図７】保護構造の既に述べた構成部材と軟質材料で作った他の部材との幾つかを示す図４の変形例である。
【図１】
2004537384.tif 000003
【図２】
2004537384.tif 000004
【図３】
2004537384.tif 000005
【図４】
2004537384.tif 000006
【図５】
2004537384.tif 000007
【図６】
2004537384.tif 000008
【図７】
2004537384.tif 000009
【国際公開パンフレット】
2004537384.tif 000010
2004537384.tif 000011
2004537384.tif 000012
2004537384.tif 000013
2004537384.tif 000014
2004537384.tif 000015
2004537384.tif 000016
2004537384.tif 000017
2004537384.tif 000018
2004537384.tif 000019
2004537384.tif 000020
2004537384.tif 000021
2004537384.tif 000022
2004537384.tif 000023
2004537384.tif 000024
2004537384.tif 000025
2004537384.tif 000026
【国際調査報告】
2004537384.tif 000027
2004537384.tif 000028
2004537384.tif 000029